(57)【要約】【課題】製造加工が容易であり、前面、背面及び両側面が化粧されるとともに、積み重ね易い、収納ボックスユニット及びその製造方法を提供する。【解決手段】この発明の収納ボックスユニット１０は、基板５２の平面状主面に、化粧シート５４が貼着された表面材５０が、該基板５２の主面とは反対側の面より化粧シートに向けて、板状体３０の隅部１８，２０に対応する部位において適宜な間隔をあけて平行に折り曲げ溝６０を形成され、該化粧シートを外表面にして、天部１２及び側部１４，１６を構成する板状体３０に形成され、該板状体３０を化粧シート５４を屈曲して正面視略コ字形に成形され、収納ボックスユニットの各々の側部を接し合わせて並列でき、且つ、天部の上又は平面上に載置できる接地面２６，２８を有する側部を備える。【選択図】図１
2015181803.tif 000002
【特許請求の範囲】
【請求項１】
基板の主面に化粧シートが貼着された表面材を化粧シートを外表面にして、天部及び側部を構成する板状体に形成され、該板状体を化粧シートを屈曲して正面視略コ字形に成形され、
収納ボックスユニットの各々の側部を接し合わせて並列でき、且つ、天部の上又は平面上に載置できる接地面を有する側部を備える、収納ボックスユニットであって、
表面材は、基板の平面状主面に、化粧シートが貼着され、該基板の主面とは反対側の面より化粧シートに向けて、板状体の隅部に対応する部位において適宜な間隔をあけて平行に折り曲げ溝を形成され、該折り曲げ溝を閉じるように化粧シートを折り曲げて板状体を成形され、
該板状体は、前記折り曲げ溝内に対応する溝及び厚みを備える、断面略々ロ字形の板状体であって、折り曲げ溝に沿ってのびる長尺であり、
表面材における化粧シートを折り曲げ溝において折り曲げて基板の一方の長手端縁と他方の長手端縁とを突き合わされ、
前記一方の長手端縁と他方の長手端縁とを突き合わされた側の面から反対側の面に向けて、収納ボックスユニットの隅部を形成するための隅部形成溝を成形され、
隅部形成溝を閉じるように化粧シートを折り曲げて、隅部形成溝を閉じ合わせて接着され、
天部は、化粧シートで覆われ、側部は、天部の主面と平行な接地面を残して化粧シートで覆われ、
左右の側部の上に天部が形成され、天部と側部とは直交し、左右の側部の間は、開曠した、収納ボックスユニット。
【請求項２】
表面材は、平面視長方形の基板の平面状主面に、全面に亘って化粧シートが貼着され、該平面状主面とは反対側の面より化粧シートに向けて基板の長手端縁に沿って一方の木口より他方の木口に亘って連続した断面Ｖ字形の折り曲げ溝を形成され、
前記折り曲げ溝は、板状体の幅に対応する間隔をあけて形成された、第１の折り曲げ溝と第２の折り曲げ溝及び第３の折り曲げ溝と第４の折り曲げ溝を有し、
隣接する第１の折り曲げ溝と第３の折り曲げ溝は、板状体の厚さに対応する間隔をあけて形成され、且つ、隣接する第２の折り曲げ溝と第４の折り曲げ溝は、板状体の厚さに対応する間隔をあけて形成され、
前記板状体は、第１の折り曲げ溝と第２の折り曲げ溝との間の基板が第３の折り曲げ溝と第４の折り曲げ溝との間の基板と向き合い、且つ、第２の折り曲げ溝と第３の折り曲げ溝との間の基板が第３の折り曲げ溝と第４の折り曲げ溝との間の基板と向き合い、基板の長手端縁と直交する木口によって接地面を形成された、請求項１に記載の収納ボックスユニット。
【請求項３】
隅部形成溝は、
第３の折り曲げ溝及び第４の折り曲げ溝から第１の折り曲げ溝及び第２の折り曲げ溝に達する深さを備え、
第３の折り曲げ溝から第４の折り曲げ溝に亘って連続して形成され、第１の折り曲げ溝及び第２の折り曲げ溝と第３の折り曲げ溝及び第４の折り曲げ溝と直交し、
第３の折り曲げ溝と第４の折り曲げ溝との間の化粧シートは、収納ボックスユニットの内側面を形成し、
第１の折り曲げ溝と第２の折り曲げ溝との間の化粧シートは、収納ボックスユニットの外側面を形成した、請求項１に記載の収納ボックスユニット。
【請求項４】
前記板状体は、基板の長手端縁に直交し且つ木口に平行な隅部形成溝を形成され、
前記隅部形成溝は、一方の木口と適宜な間隔をあけて形成された第１の隅部形成溝と他方の木口と適宜な間隔をあけて形成された第２の隅部形成溝とを有し、
一方の木口と第１の隅部形成溝との間の間隔は、他方の木口と第２の隅部形成溝との間の間隔と同一であって、
一方の木口によって形成された接地面と他方の木口によって形成された接地面とは、第１の隅部形成溝と第２の隅部形成溝との間に形成された天部の主面と平行な面を備え、
一方の側部は、一方の木口側と他方の側部の他方の木口側との間を開曠した、請求項１ないし請求項３のいずれかに記載の収納ボックスユニット。
【請求項５】
折り曲げ溝及び隅部形成溝は、
基板に形成された断面Ｖ字形の溝であって、略平面状の溝壁間のなす角度が９０度であって、溝底が化粧シートに略々達し、
化粧シートが折り曲げられて、基板に形成された略平面状の溝壁面が密着するように形成された、請求項１ないし請求項４のいずれかに記載の収納ボックスユニット。
【請求項６】
天部並びに側部及び側部は、芯材の表面に表面材が貼着され、
芯材の外側面に、表面材の外側面基板が貼着され、
芯材の内側面に、表面材の内側面基板が貼着され、
芯材の外側面に、表面材の外側面基板が貼着され、芯材の内側面に、表面材の内側面基板が貼着され、
芯材の表端面に、表面材の表端面基板が貼着され、芯材の裏端面に、表面材の裏端面基板が貼着され、
外側面基板と表端面基板とは、芯材の外表側芯材角部において、突き合わせて接合され、
内側面基板と表端面基板とは、芯材の内表側芯材角部において、突き合わせて接合され、
外側面基板と裏端面基板とは、芯材の外裏側芯材角部において、突き合わせて接合され、
内側面基板と裏端面基板とは、芯材の内裏側芯材角部において、突き合わせて接合され、
芯材の表面に表面材が貼着された天部は、その一方端に、芯材の表面に表面材が貼着された側部が突き合わせられ、且つ、その他方端に、側部が突き合わせられ、
天部の表側芯材及び溝形成芯材と側部の表側芯材及び溝形成芯材とは、天部と側部の境界である隅部において突き合わせられて、直交し、
天部の表側芯材及び溝形成芯材と側部の表側芯材及び溝形成芯材とは、天部と側部の境界である隅部において突き合わせられて、直交し、
天部の内側面基板及び化粧シートと側部の内側面基板及び化粧シートとは、天部と側部の境界である隅部において突き合わせられて、直交し、
天部の内側面基板及び化粧シートと側部の内側面基板及び化粧シートとは、天部と側部の境界である隅部において突き合わせられて、直交し、
天部の外側面基板と側部の外側面基板とは、天部と側部の境界である隅部において突き合わせられて、直交し、
天部の外側面基板と側部の外側面基板とは、天部と側部の境界である隅部において突き合わせられて、直交し、
外側面の化粧シートは、隅部及び隅部に折り曲げられて、天部の外側面の化粧シートと側部及び側部の外側面の化粧シートとは、直交し、
天部は、正面視断面略台形状であり、側部及び側部は、正面視断面略台形状であり、
天部は、突き合わせられた側部及び側部と直交し、
側部と側部とは、平行である、請求項１ないし請求項５のいずれかに記載の収納ボックスユニット。
【請求項７】
板状体は、外側面基板と折り曲げ溝を介して隣接する表端面基板及び裏端面基板とが突き合わせられ、且つ内側面基板と折り曲げ溝を介して隣接する表端面基板及び裏端面基板とが突き合わせられ、
該突き合わせ部位である折り曲げ溝部位における化粧シートの折り目が外側に出る山折りによって、角部を形成され、
隣接する外側面基板と表端面基板及び裏端面基板とが直角に交わり、
隣接する内側面基板と表端面基板及び裏端面基板とが直角に交わり、
外側面基板の外表面と内側面基板の外表面とが平行な面であって、一方の表端面基板の外表面と他方の裏端面基板の外表面とが平行である、直方体状であり、
内側の基板の外側の面一面に化粧シートが貼着されて化粧シートによって覆われた、請求項６に記載の収納ボックスユニット。
【請求項８】
収納ボックスユニットは、前方の開口部に扉を付設された及び／又は天部と側部との間に背面板を付設された、請求項１ないし請求項７のいずれかに記載の収納ボックスユニット。
【請求項９】
天部及び側部を構成する板状体を突き合わせて正面視略コ字形の収納ボックスユニットを製造する方法であって、
表面材を構成する、基板の平面状主面に、化粧シートが貼着され、該基板の主面とは反対側の面より化粧シートに向けて、板状体の隅部に対応する部位において適宜な間隔をあけて平行に折り曲げ溝を形成するステップと、
表面材に形成された該折り曲げ溝を閉じるように化粧シートを折り曲げて板状体を成形するステップと、
前記折り曲げ溝内に対応する溝及び厚みを備える、断面略々ロ字形の板状体であって、折り曲げ溝に沿ってのびる長尺である板状体を、
表面材における化粧シートを折り曲げ溝において折り曲げて基板の一方の長手端縁と他方の長手端縁とを突き合わせ、
前記一方の長手端縁と他方の長手端縁とを突き合わされた側の面から反対側の面に向けて、収納ボックスユニットの隅部を形成するための隅部形成溝を成形するステップと、
隅部形成溝を閉じるように化粧シートを折り曲げて、隅部形成溝を閉じ合わせて接着するステップとを含み、
基板の主面に化粧シートが貼着された表面材を化粧シートを外表面にして、化粧シートを屈曲して形成され、
天部は、化粧シートで覆われ、側部は、天部の主面と平行な接地面を残して化粧シートで覆われ、
左右の側部の上に天部が形成され、天部と側部とは直交し、左右の側部の間は、開曠し、
収納ボックスユニットの各々の側部を接し合わせて並列でき、且つ、天部の上又は平面上に載置できる接地面を有する側部を備える、収納ボックスユニットの製造方法。
【発明の詳細な説明】
【技術分野】
【０００１】
この発明は、収納ボックスユニット及びその製造方法に関し、特に収納箱、収納棚、間仕切り棚として用いることができる収納ボックスユニット及びその製造方法に関する。
【背景技術】
【０００２】
この発明の背景となる組み立てボックスとして、組立ボックス１を構成する枠板１ａ、１ｃ、１ｂ、１ｃの各々の表面に、各々の枠板１ａ、１ｃ、１ｂ、１ｃを連結するように、１枚の装飾用皮膜を貼りつけた組立ボックスが開示されている（特許文献１参照）。
【０００３】
特許文献１に開示されている組立ボックスは、組立作業が容易で且つ組立後の美観にも優れた組立ボックスを提供することを目的として考え出されたものである。
【先行技術文献】
【特許文献】
【０００４】
【特許文献１】特開平１１−８９６４７号公報
【発明の概要】
【発明が解決しようとする課題】
【０００５】
ところが、特許文献１に開示されている組立ボックスでは、枠板の表面に貼りつけられた装飾用皮膜が全面を覆っていないので、装飾用皮膜がその端縁で枠板よりはがれ易く、又、枠板から部分的に浮き上がったり全体的に波打ったりして平面状にならない場合がある。そのため、このような組立ボックスは、製造加工が非常に困難である。又、底板を備えているので、積み重ねたときに、載置面の凹凸によって不安定となる。
【０００６】
それゆえに、この発明の主たる目的は、製造加工が容易であり、前面、背面及び両側面が化粧されるとともに、積み重ね易い、収納ボックスユニット及びその製造方法を提供することである。
【課題を解決するための手段】
【０００７】
この発明の請求項１にかかる収納ボックスユニットは、基板の主面に化粧シートが貼着された表面材を化粧シートを外表面にして、天部及び側部を構成する板状体に形成され、該板状体を化粧シートを屈曲して正面視略コ字形に成形され、収納ボックスユニットの各々の側部を接し合わせて並列でき、且つ、天部の上又は平面上に載置できる接地面を有する側部を備える、収納ボックスユニットであって、表面材は、基板の平面状主面に、化粧シートが貼着され、該基板の主面とは反対側の面より化粧シートに向けて、板状体の隅部に対応する部位において適宜な間隔をあけて平行に折り曲げ溝を形成され、該折り曲げ溝を閉じるように化粧シートを折り曲げて板状体を成形され、該板状体は、前記折り曲げ溝内に対応する溝及び厚みを備える、断面略々ロ字形の板状体であって、折り曲げ溝に沿ってのびる長尺であり、表面材における化粧シートを折り曲げ溝において折り曲げて基板の一方の長手端縁と他方の長手端縁とを突き合わされ、前記一方の長手端縁と他方の長手端縁とを突き合わされた側の面から反対側の面に向けて、収納ボックスユニットの隅部を形成するための隅部形成溝を成形され、隅部形成溝を閉じるように化粧シートを折り曲げて、隅部形成溝を閉じ合わせて接着され、天部は、化粧シートで覆われ、側部は、天部の主面と平行な接地面を残して化粧シートで覆われ、左右の側部の上に天部が形成され、天部と側部とは直交し、左右の側部の間は、開曠した、収納ボックスユニットである。
この発明の請求項２にかかる収納ボックスユニットにおいては、表面材は、平面視長方形の基板の平面状主面に、全面に亘って化粧シートが貼着され、該平面状主面とは反対側の面より化粧シートに向けて基板の長手端縁に沿って一方の木口より他方の木口に亘って連続した断面Ｖ字形の折り曲げ溝を形成され、前記折り曲げ溝は、板状体の幅に対応する間隔をあけて形成された、第１の折り曲げ溝と第２の折り曲げ溝及び第３の折り曲げ溝と第４の折り曲げ溝を有し、隣接する第１の折り曲げ溝と第３の折り曲げ溝は、板状体の厚さに対応する間隔をあけて形成され、且つ、隣接する第２の折り曲げ溝と第４の折り曲げ溝は、板状体の厚さに対応する間隔をあけて形成され、前記板状体は、第１の折り曲げ溝と第２の折り曲げ溝との間の基板が第３の折り曲げ溝と第４の折り曲げ溝との間の基板と向き合い、且つ、第２の折り曲げ溝と第３の折り曲げ溝との間の基板が第３の折り曲げ溝と第４の折り曲げ溝との間の基板と向き合い、基板の長手端縁と直交する木口によって接地面を形成された、請求項１に記載の収納ボックスユニットである。
この発明の請求項３にかかる収納ボックスユニットにおいては、隅部形成溝は、第３の折り曲げ溝及び第４の折り曲げ溝から第１の折り曲げ溝及び第２の折り曲げ溝に達する深さを備え、第３の折り曲げ溝から第４の折り曲げ溝に亘って連続して形成され、第１の折り曲げ溝及び第２の折り曲げ溝と第３の折り曲げ溝及び第４の折り曲げ溝と直交し、第３の折り曲げ溝と第４の折り曲げ溝との間の化粧シートは、収納ボックスユニットの内側面を形成し、第１の折り曲げ溝と第２の折り曲げ溝との間の化粧シートは、収納ボックスユニットの外側面を形成した、請求項１に記載の収納ボックスユニットである。
この発明の請求項４にかかる収納ボックスユニットにおいては、前記板状体は、基板の長手端縁に直交し且つ木口に平行な隅部形成溝を形成され、前記隅部形成溝は、一方の木口と適宜な間隔をあけて形成された第１の隅部形成溝と他方の木口と適宜な間隔をあけて形成された第２の隅部形成溝とを有し、一方の木口と第１の隅部形成溝との間の間隔は、他方の木口と第２の隅部形成溝との間の間隔と同一であって、一方の木口によって形成された接地面と他方の木口によって形成された接地面とは、第１の隅部形成溝と第２の隅部形成溝との間に形成された天部の主面と平行な面を備え、一方の側部は、一方の木口側と他方の側部の他方の木口側との間を開曠した、請求項１ないし請求項３のいずれかに記載の収納ボックスユニットである。
この発明の請求項５にかかる収納ボックスユニットにおいては、折り曲げ溝及び隅部形成溝は、基板に形成された断面Ｖ字形の溝であって、略平面状の溝壁間のなす角度が９０度であって、溝底が化粧シートに略々達し、化粧シートが折り曲げられて、基板に形成された略平面状の溝壁面が密着するように形成された、請求項１ないし請求項４のいずれかに記載の収納ボックスユニットである。
この発明の請求項６にかかる収納ボックスユニットにおいては、天部並びに側部及び側部は、芯材の表面に表面材が貼着され、芯材の外側面に、表面材の外側面基板が貼着され、芯材の内側面に、表面材の内側面基板が貼着され、芯材の外側面に、表面材の外側面基板が貼着され、芯材の内側面に、表面材の内側面基板が貼着され、芯材の表端面に、表面材の表端面基板が貼着され、芯材の裏端面に、表面材の裏端面基板が貼着され、外側面基板と表端面基板とは、芯材の外表側芯材角部において、突き合わせて接合され、内側面基板と表端面基板とは、芯材の内表側芯材角部において、突き合わせて接合され、外側面基板と裏端面基板とは、芯材の外裏側芯材角部において、突き合わせて接合され、内側面基板と裏端面基板とは、芯材の内裏側芯材角部において、突き合わせて接合され、芯材の表面に表面材が貼着された天部は、その一方端に、芯材の表面に表面材が貼着された側部が突き合わせられ、且つ、その他方端に、側部が突き合わせられ、天部の表側芯材及び溝形成芯材と側部の表側芯材及び溝形成芯材とは、天部と側部の境界である隅部において突き合わせられて、直交し、天部の表側芯材及び溝形成芯材と側部の表側芯材及び溝形成芯材とは、天部と側部の境界である隅部において突き合わせられて、直交し、天部の内側面基板及び化粧シートと側部の内側面基板及び化粧シートとは、天部と側部の境界である隅部において突き合わせられて、直交し、天部の内側面基板及び化粧シートと側部の内側面基板及び化粧シートとは、天部と側部の境界である隅部において突き合わせられて、直交し、天部の外側面基板と側部の外側面基板とは、天部と側部の境界である隅部において突き合わせられて、直交し、天部の外側面基板と側部の外側面基板とは、天部と側部の境界である隅部において突き合わせられて、直交し、外側面の化粧シートは、隅部及び隅部に折り曲げられて、天部の外側面の化粧シートと側部及び側部の外側面の化粧シートとは、直交し、天部は、正面視断面略台形状であり、側部及び側部は、正面視断面略台形状であり、天部は、突き合わせられた側部及び側部と直交し、側部と側部とは、平行である、請求項１ないし請求項５のいずれかに記載の収納ボックスユニットである。
この発明の請求項７にかかる収納ボックスユニットにおいては、板状体は、外側面基板と折り曲げ溝を介して隣接する表端面基板及び裏端面基板とが突き合わせられ、且つ内側面基板と折り曲げ溝を介して隣接する表端面基板及び裏端面基板とが突き合わせられ、該突き合わせ部位である折り曲げ溝部位における化粧シートの折り目が外側に出る山折りによって、角部を形成され、隣接する外側面基板と表端面基板及び裏端面基板とが直角に交わり、隣接する内側面基板と表端面基板及び裏端面基板とが直角に交わり、外側面基板の外表面と内側面基板の外表面とが平行な面であって、一方の表端面基板の外表面と他方の裏端面基板の外表面とが平行である、直方体状であり、内側の基板の外側の面一面に化粧シートが貼着されて化粧シートによって覆われた、請求項６に記載の収納ボックスユニットである。
この発明の請求項８にかかる収納ボックスユニットにおいては、収納ボックスユニットは、前方の開口部に扉を付設された及び／又は天部と側部との間に背面板を付設された、請求項１ないし請求項７のいずれかに記載の収納ボックスユニットである。
この発明の請求項９にかかる収納ボックスユニットの製造方法は、天部及び側部を構成する板状体を突き合わせて正面視略コ字形の収納ボックスユニットを製造する方法であって、表面材を構成する、基板の平面状主面に、化粧シートが貼着され、該基板の主面とは反対側の面より化粧シートに向けて、板状体の隅部に対応する部位において適宜な間隔をあけて平行に折り曲げ溝を形成するステップと、表面材に形成された該折り曲げ溝を閉じるように化粧シートを折り曲げて板状体を成形するステップと、前記折り曲げ溝内に対応する溝及び厚みを備える、断面略々ロ字形の板状体であって、折り曲げ溝に沿ってのびる長尺である板状体を、表面材における化粧シートを折り曲げ溝において折り曲げて基板の一方の長手端縁と他方の長手端縁とを突き合わせ、前記一方の長手端縁と他方の長手端縁とを突き合わされた側の面から反対側の面に向けて、収納ボックスユニットの隅部を形成するための隅部形成溝を成形するステップと、隅部形成溝を閉じるように化粧シートを折り曲げて、隅部形成溝を閉じ合わせて接着するステップとを含み、基板の主面に化粧シートが貼着された表面材を化粧シートを外表面にして、化粧シートを屈曲して形成され、天部は、化粧シートで覆われ、側部は、天部の主面と平行な接地面を残して化粧シートで覆われ、左右の側部の上に天部が形成され、天部と側部とは直交し、左右の側部の間は、開曠し、収納ボックスユニットの各々の側部を接し合わせて並列でき、且つ、天部の上又は平面上に載置できる接地面を有する側部を備える、収納ボックスユニットの製造方法である。
【発明の効果】
【０００８】
請求項１の発明によれば、基板の主面に化粧シートが貼着された表面材を化粧シートを外表面にして、天部及び側部を構成する板状体に形成され、該板状体を化粧シートを屈曲して正面視略コ字形に成形され、収納ボックスユニットの各々の側部を接し合わせて並列でき、且つ、天部の上又は平面上に載置できる接地面を有する側部を備える、収納ボックスユニットであって、表面材は、基板の平面状主面に、化粧シートが貼着され、該基板の主面とは反対側の面より化粧シートに向けて、板状体の隅部に対応する部位において適宜な間隔をあけて平行に折り曲げ溝を形成され、該折り曲げ溝を閉じるように化粧シートを折り曲げて板状体を成形され、該板状体は、前記折り曲げ溝内に対応する溝及び厚みを備える、断面略々ロ字形の板状体であって、折り曲げ溝に沿ってのびる長尺であり、表面材における化粧シートを折り曲げ溝において折り曲げて基板の一方の長手端縁と他方の長手端縁とを突き合わされ、前記一方の長手端縁と他方の長手端縁とを突き合わされた側の面から反対側の面に向けて、収納ボックスユニットの隅部を形成するための隅部形成溝を成形され、隅部形成溝を閉じるように化粧シートを折り曲げて、隅部形成溝を閉じ合わせて接着され、天部は、化粧シートで覆われ、側部は、天部の主面と平行な接地面を残して化粧シートで覆われ、左右の側部の上に天部が形成され、天部と側部とは直交し、左右の側部の間は、開曠しているので、製造加工が容易であり、前面、背面及び両側面が化粧されるとともに、積み重ね易い収納ボックスユニットが得られる。
請求項２の発明によれば、表面材は、平面視長方形の基板の平面状主面に、全面に亘って化粧シートが貼着され、該平面状主面とは反対側の面より化粧シートに向けて基板の長手端縁に沿って一方の木口より他方の木口に亘って連続した断面Ｖ字形の折り曲げ溝を形成され、前記折り曲げ溝は、板状体の幅に対応する間隔をあけて形成された、第１の折り曲げ溝と第２の折り曲げ溝及び第３の折り曲げ溝と第４の折り曲げ溝を有し、隣接する第１の折り曲げ溝と第３の折り曲げ溝は、板状体の厚さに対応する間隔をあけて形成され、且つ、隣接する第２の折り曲げ溝と第４の折り曲げ溝は、板状体の厚さに対応する間隔をあけて形成され、前記板状体は、第１の折り曲げ溝と第２の折り曲げ溝との間の基板が第３の折り曲げ溝と第４の折り曲げ溝との間の基板と向き合い、且つ、第２の折り曲げ溝と第３の折り曲げ溝との間の基板が第３の折り曲げ溝と第４の折り曲げ溝との間の基板と向き合い、基板の長手端縁と直交する木口によって接地面を形成されているので、製造加工が容易であり、前面、背面及び両側面が化粧されるとともに、積み重ね易い収納ボックスユニットが得られる。
請求項３の発明によれば、隅部形成溝は、第３の折り曲げ溝及び第４の折り曲げ溝から第１の折り曲げ溝及び第２の折り曲げ溝に達する深さを備え、第３の折り曲げ溝から第４の折り曲げ溝に亘って連続して形成され、第１の折り曲げ溝及び第２の折り曲げ溝と第３の折り曲げ溝及び第４の折り曲げ溝と直交し、第３の折り曲げ溝と第４の折り曲げ溝との間の化粧シートは、収納ボックスユニットの内側面を形成し、第１の折り曲げ溝と第２の折り曲げ溝との間の化粧シートは、収納ボックスユニットの外側面を形成しているので、製造加工が容易であり、前面、背面及び両側面が化粧されるとともに、積み重ね易い収納ボックスユニットが得られる。
請求項４の発明によれば、前記板状体は、基板の長手端縁に直交し且つ木口に平行な隅部形成溝を形成され、前記隅部形成溝は、一方の木口と適宜な間隔をあけて形成された第１の隅部形成溝と他方の木口と適宜な間隔をあけて形成された第２の隅部形成溝とを有し、一方の木口と第１の隅部形成溝との間の間隔は、他方の木口と第２の隅部形成溝との間の間隔と同一であって、一方の木口によって形成された接地面と他方の木口によって形成された接地面とは、第１の隅部形成溝と第２の隅部形成溝との間に形成された天部の主面と平行な面を備え、一方の側部は、一方の木口側と他方の側部の他方の木口側との間を開曠しているので、製造加工が容易であり、前面、背面及び両側面が化粧されるとともに、積み重ね易い収納ボックスユニットが得られる。
請求項５の発明によれば、折り曲げ溝及び隅部形成溝は、基板に形成された断面Ｖ字形の溝であって、略平面状の溝壁間のなす角度が９０度であって、溝底が化粧シートに略々達し、化粧シートが折り曲げられて、基板に形成された略平面状の溝壁面が密着するように形成されているので、製造加工が容易であり、前面、背面及び両側面が化粧されるとともに、積み重ね易い収納ボックスユニットが得られる。
請求項６の発明によれば、天部並びに側部及び側部は、芯材の表面に表面材が貼着され、芯材の外側面に、表面材の外側面基板が貼着され、芯材の内側面に、表面材の内側面基板が貼着され、芯材の外側面に、表面材の外側面基板が貼着され、芯材の内側面に、表面材の内側面基板が貼着され、芯材の表端面に、表面材の表端面基板が貼着され、芯材の裏端面に、表面材の裏端面基板が貼着され、外側面基板と表端面基板とは、芯材の外表側芯材角部において、突き合わせて接合され、内側面基板と表端面基板とは、芯材の内表側芯材角部において、突き合わせて接合され、外側面基板と裏端面基板とは、芯材の外裏側芯材角部において、突き合わせて接合され、内側面基板と裏端面基板とは、芯材の内裏側芯材角部において、突き合わせて接合され、芯材の表面に表面材が貼着された天部は、その一方端に、芯材の表面に表面材が貼着された側部が突き合わせられ、且つ、その他方端に、側部が突き合わせられ、天部の表側芯材及び溝形成芯材と側部の表側芯材及び溝形成芯材とは、天部と側部の境界である隅部において突き合わせられて、直交し、天部の表側芯材及び溝形成芯材と側部の表側芯材及び溝形成芯材とは、天部と側部の境界である隅部において突き合わせられて、直交し、天部の内側面基板及び化粧シートと側部の内側面基板及び化粧シートとは、天部と側部の境界である隅部において突き合わせられて、直交し、天部の内側面基板及び化粧シートと側部の内側面基板及び化粧シートとは、天部と側部の境界である隅部において突き合わせられて、直交し、天部の外側面基板と側部の外側面基板とは、天部と側部の境界である隅部において突き合わせられて、直交し、天部の外側面基板と側部の外側面基板とは、天部と側部の境界である隅部において突き合わせられて、直交し、外側面の化粧シートは、隅部及び隅部に折り曲げられて、天部の外側面の化粧シートと側部及び側部の外側面の化粧シートとは、直交し、天部は、正面視断面略台形状であり、側部及び側部は、正面視断面略台形状であり、天部は、突き合わせられた側部及び側部と直交し、側部と側部とは、平行であるので、製造加工が容易であり、前面、背面及び両側面が化粧されるとともに、積み重ね易い収納ボックスユニットが得られる。
請求項７の発明によれば、板状体は、外側面基板と折り曲げ溝を介して隣接する表端面基板及び裏端面基板とが突き合わせられ、且つ内側面基板と折り曲げ溝を介して隣接する表端面基板及び裏端面基板とが突き合わせられ、該突き合わせ部位である折り曲げ溝部位における化粧シートの折り目が外側に出る山折りによって、角部を形成され、隣接する外側面基板と表端面基板及び裏端面基板とが直角に交わり、隣接する内側面基板と表端面基板及び裏端面基板とが直角に交わり、外側面基板の外表面と内側面基板の外表面とが平行な面であって、一方の表端面基板の外表面と他方の裏端面基板の外表面とが平行である、直方体状であり、内側の基板の外側の面一面に化粧シートが貼着されて化粧シートによって覆われているので、製造加工が容易であり、前面、背面及び両側面が化粧されるとともに、積み重ね易い収納ボックスユニットが得られる。
請求項８の発明によれば、収納ボックスユニットは、前方の開口部に扉を付設された及び／又は天部と側部との間に背面板を付設されているので、製造加工が容易であり、前面、背面及び両側面が化粧されるとともに、積み重ね易い収納ボックスユニットが得られる。
請求項９の発明によれば、天部及び側部を構成する板状体を突き合わせて正面視略コ字形の収納ボックスユニットを製造する方法であって、表面材を構成する、基板の平面状主面に、化粧シートが貼着され、該基板の主面とは反対側の面より化粧シートに向けて、板状体の隅部に対応する部位において適宜な間隔をあけて平行に折り曲げ溝を形成するステップと、表面材に形成された該折り曲げ溝を閉じるように化粧シートを折り曲げて板状体を成形するステップと、前記折り曲げ溝内に対応する溝及び厚みを備える、断面略々ロ字形の板状体であって、折り曲げ溝に沿ってのびる長尺である板状体を、表面材における化粧シートを折り曲げ溝において折り曲げて基板の一方の長手端縁と他方の長手端縁とを突き合わせ、前記一方の長手端縁と他方の長手端縁とを突き合わされた側の面から反対側の面に向けて、収納ボックスユニットの隅部を形成するための隅部形成溝を成形するステップと、隅部形成溝を閉じるように化粧シートを折り曲げて、隅部形成溝を閉じ合わせて接着するステップとを含み、基板の主面に化粧シートが貼着された表面材を化粧シートを外表面にして、化粧シートを屈曲して形成され、天部は、化粧シートで覆われ、側部は、天部の主面と平行な接地面を残して化粧シートで覆われ、左右の側部の上に天部が形成され、天部と側部とは直交し、左右の側部の間は、開曠し、収納ボックスユニットの各々の側部を接し合わせて並列でき、且つ、天部の上又は平面上に載置できる接地面を有する側部を備えるので、製造加工が容易であり、前面、背面及び両側面が化粧されるとともに、積み重ね易い収納ボックスユニットが得られる。
【０００９】
この発明の上述の目的、その他の目的、特徴及び利点は、図面を参照して行う以下の発明を実施するための形態の説明から一層明らかとなろう。
【図面の簡単な説明】
【００１０】
【図１】この発明にかかる一実施の形態である収納ボックスユニットを示す斜視図解図である。
【図２】この発明にかかる一実施の形態である収納ボックスユニットを示す斜視図解図である。
【図３】図１図示収納ボックスユニットの正面図解図である。
【図４】図１図示収納ボックスユニットの側面図解図である。
【図５】図１図示収納ボックスユニットの平面図解図である。
【図６】図１図示収納ボックスユニットの底面図解図である。
【図７Ａ】表面材を展開した状態を示す斜視図解図である。
【図７Ｂ】板状体によって収納ボックスユニットを組み立てる方法を示す斜視図解図である。
【図８】板状体によって収納ボックスユニットを組み立てる方法を示す断面図解図である。
【図９】（Ａ）は板状体を展開した状態を示す平面図解図であり、（Ｂ）は板状体を展開した状態を示す正面図解図である。
【図１０】（Ａ）は図９Ａ−Ａ矢視図解図であり、（Ｂ）は図９Ｂ−Ｂ断面図解図であり、（Ｃ）は板状体の中心の横断面図解図である。
【図１１】板状体により収納ボックスユニットを組み立てる方法を示す斜視図解図である。
【図１２】板状体により収納ボックスユニットを組み立てる方法を示す斜視図解図である。
【図１３】板状体により収納ボックスユニットを組み立てる方法を示す斜視図解図である。
【図１４】別の実施の形態である収納ボックスユニットの斜視図解図である。
【図１５】図１４図示収納ボックスユニットの板状体を展開した状態における板状体の平面図解図である。
【図１６】図１４図示収納ボックスユニットの板状体を展開した状態における板状体の正面図解図である。
【図１７】図１６図示Ｃ−Ｃ断面図解図である。
【図１８】別の実施の形態である収納ボックスユニットの正面図解図である。
【図１９】図１８図示収納ボックスユニットの側面図解図である。
【図２０】本発明にかかる収納ボックスユニットによって形成された収納棚の斜視図解図である。
【図２１】本発明にかかる収納ボックスユニットによって形成された収納棚の斜視図解図である。
【図２２】本発明にかかる収納ボックスユニットによって形成された収納棚の正面図解図である。
【図２３】本発明にかかる収納ボックスユニットの利用方法を示す斜視図解図である。
【図２４】本発明にかかる収納ボックスユニットの利用方法を示す斜視図解図である。
【図２５】本発明にかかる収納ボックスユニットの利用方法を示す斜視図解図である。
【図２６Ａ】本発明にかかる収納ボックスユニットの製造方法を示す斜視図解図である。
【図２６Ｂ】図２６Ａ図示製造方法により製造された収納ボックスユニットの要部の縦断面図解図である。
【図２７】表面材の変形例を示す断面図解図である。
【図２８】表面材を変形した収納ボックスユニットの正面図解図である。
【図２９】図２８図示収納ボックスユニットの側面図解図である。
【図３０】表面材の変形例を示す断面図解図である。
【図３１】板状体の変形例を示す斜視図解図である。
【図３２】板状体の変形例による収納ボックスユニットの組み立て方法を示す斜視図解図である。
【発明を実施するための形態】
【００１１】
収納ボックスユニット１０は、収納ボックスを形成するためのユニットであって、平板状の天部１２の両側から平板状の側部１４及び側部１６が垂下されている。収納ボックスユニット１０は、複数の収納ボックスユニット１０の各々の側部１４及び側部１６を接し合わせて並列でき、且つ、天部１２の上又は平面上に載置できる接地面を有する側部１４及び側部１６を備え、天部１２の上面に載置できる。
収納ボックスユニット１０は、複数の収納ボックスユニット１０の各側部１４及び側部１６を接し合わせて並列され及び／又は天部１２の上に側部１４の接地面２６及び側部１６の接地面２８を接し合わせて積み重ねられる。
【００１２】
収納ボックスユニット１０は、基板５２の主面に化粧シート５４が貼着された表面材５０を化粧シート５４を外表面にして化粧シート５４を折り曲げて板状に形成された、天部１２及び側部１４若しくは側部１６を構成する板状体３０によって形成されている。
収納ボックスユニット１０は、該板状体３０を、表面材５０を構成している化粧シート５４を屈曲して、正面視略コ字形に成形されている。
【００１３】
収納ボックスユニット１０は、天部１２が、化粧シート５４で覆われ、側部１４及び側部１６が、天部１２の主面と平行な接地面（接地面２６及び接地面２８）を残して化粧シート５４で覆われている。
収納ボックスユニット１０は、左右の平板状の側部１４及び側部１６の上に、隅部１８及び隅部２０を介して、側部１４及び側部１６と略々同じ幅の天部１２が形成されている。
天部１２と側部１４及び側部１６とは、直交し、天部１２の左側から垂下された側部１４と天部１２の右側から垂下された側部１６との間は、開曠している。
【００１４】
（表面材）
表面材５０は、基板５２の平面状主面に、化粧シート５４が貼着され、該基板５２の主面とは反対側の面より化粧シート５４に向けて、板状体３０の角部３２，角部３４，角部３６及び角部３８に対応する部位において、適宜な間隔をあけて平行に、基板５２に折り曲げ溝６０を形成されており、該折り曲げ溝６０を閉じるように化粧シート５４を折り曲げて板状体３０を成形するように構成されている。
【００１５】
基板５２は、ベニヤ板、繊維板等の木質系板材からなり、化粧シート５４は、オレフィン樹脂、樹脂含浸紙などの可撓性を有するシート状物からなる。
基板５２は、化粧シート５４と比して厚い板であり、基板５２及び化粧シート５４の長さ及び幅は、略同一である。
【００１６】
表面材５０は、平面視長方形の基板５２の平面状主面に、全面に亘って化粧シート５４が貼着され、該平面状主面とは反対側の面より化粧シート５４に向けて基板５２の長手端縁（一方の長手端縁５６及び他方の長手端縁５８）に沿って一方の木口（表面材木口９６）より他方の木口（表面材木口９８）に亘って連続した断面Ｖ字形の折り曲げ溝６０を形成されている。
前記折り曲げ溝６０は、板状体３０の幅に対応する間隔をあけて基板５２の長手方向に連続して形成された、第１の折り曲げ溝６２と第２の折り曲げ溝６４及び第３の折り曲げ溝６６と第４の折り曲げ溝６８を有している。
隣接する第１の折り曲げ溝６２と第３の折り曲げ溝６６は、板状体３０の厚さに対応する間隔をあけて形成され、且つ、隣接する第２の折り曲げ溝６４と第４の折り曲げ溝６８は、板状体３０の厚さに対応する間隔をあけて形成されている。
【００１７】
折り曲げ溝６０は、基板５２に形成された断面Ｖ字形の溝であって、断面Ｖ字形の溝の溝壁が略平面状である。断面Ｖ字形の溝は、その溝壁間のなす角度が９０度であって、溝底が化粧シート５４に略々達している。
折り曲げ溝６０は、化粧シート５４が折り目が外側に出る山折りによって折り曲げられて、基板５２に形成された略平面状の溝壁面が密着するように形成されている。
【００１８】
基板５２は、第１の折り曲げ溝６２と第２の折り曲げ溝６４とによって区画されて、外側面基板７０を成形されている。外側面基板７０は、収納ボックスユニット１０の外側に位置する。
基板５２は、第３の折り曲げ溝６６と一方の長手端縁５６とによって区画されて、内側面基板７２を成形されている。内側面基板７２は、収納ボックスユニット１０の内側に位置する。
基板５２は、第１の折り曲げ溝６２と第３の折り曲げ溝６６とによって区画されて、表端面基板７４を成形されている。表端面基板７４は、収納ボックスユニット１０の前面側に位置している。
基板５２は、第２の折り曲げ溝６４と他方の長手端縁５８とによって区画されて、裏端面基板７６を成形されている。裏端面基板７６は、収納ボックスユニット１０の背面側に位置している。
【００１９】
外側面基板７０は、横断面略等脚台形状で、いずれの箇所で切断しても同一の断面の角柱状である。
すなわち、下底の両端にある２つの内角（底角）の大きさが互いに等しく、且つ上底の両端にある２つの底角も互いに等しい。
内側面基板７２は、横断面略等脚台形状で、いずれの箇所で切断しても同一の断面の角柱状である。
すなわち、下底の両端にある２つの内角（底角）の大きさが互いに等しく、且つ上底の両端にある２つの底角も互いに等しい。
内側面基板７２は、前記外側面基板７０と板状体３０の幅方向にのびる中心の直線を軸とした線対称である。
表端面基板７４は、横断面略等脚台形状で、いずれの箇所で切断しても同一の断面の角柱状である。
すなわち、下底の両端にある２つの内角（底角）の大きさが互いに等しく、且つ上底の両端にある２つの底角も互いに等しい。
裏端面基板７６は、横断面略等脚台形状で、いずれの箇所で切断しても同一の断面の角柱状である。
すなわち、下底の両端にある２つの内角（底角）の大きさが互いに等しく、且つ上底の両端にある２つの底角も互いに等しい。
裏端面基板７６は、前記表端面基板７４と板状体３０の厚さ方向にのびる中心の直線を軸とした線対称である。
【００２０】
外側面基板７０は、板状体３０の外側に位置する下底の両端にある２つの内角すなわち底角が略４５度である。
内側面基板７２は、板状体３０の外側に位置する下底の両端にある２つの内角すなわち底角が略４５度である。
表端面基板７４は、板状体３０の外側に位置する下底の両端にある２つの内角すなわち底角が略４５度である。
裏端面基板７６は、板状体３０の外側に位置する下底の両端にある２つの内角すなわち底角が略４５度である。
【００２１】
上底と下底との間の脚部分は、折り曲げ溝６０の溝壁を構成する。
外側面基板７０の一方の脚部分は、第１の折り曲げ溝６２の溝壁を構成し、外側面基板７０の他方の脚部分は、第２の折り曲げ溝６４の溝壁を構成する。
内側面基板７２の一方の脚部分は、第３の折り曲げ溝６６の溝壁を構成し、内側面基板７２の他方の脚部分は、第４の折り曲げ溝６８の溝壁を構成する。
表端面基板７４の一方の脚部分は、第１の折り曲げ溝６２の溝壁を構成し、表端面基板７４の他方の脚部分は、第３の折り曲げ溝６６の溝壁を構成する。
裏端面基板７６の一方の脚部分は、第２の折り曲げ溝６４の溝壁を構成し、内側面基板７２の他方の脚部分は、第４の折り曲げ溝６８の溝壁を構成する。
【００２２】
表面材５０は、芯材８０の外周面に、芯材８０を囲繞するように貼着されている。
芯材８０は、板状体３０の形状と相似形の外形を備えている。
芯材８０は、長尺状の表側芯材８２と、長尺状の裏側芯材８４と、該表側芯材８２と裏側芯材８４との間に架設された木口架設芯材８６，木口架設芯材８８，溝形成芯材９０及び溝形成芯材９２とを備える。
表側芯材８２と裏側芯材８４とは、板状体３０の幅に近い間隔をおいて平行に並べられ、表側芯材８２及び裏側芯材８４と木口架設芯材８６，木口架設芯材８８，溝形成芯材９０及び溝形成芯材９２とは直交する。
溝形成芯材９０及び溝形成芯材９２は、隅部形成溝４０を切削加工して形成するように、隅部形成溝４０の溝幅より広い幅を備える。
【００２３】
外側面基板７０は、芯材８０の外側面８０Ａ、すなわち表側芯材８２，裏側芯材８４，木口架設芯材８６，木口架設芯材８８，溝形成芯材９０及び溝形成芯材９２の外側面８０Ａに貼着される。
内側面基板７２は、芯材８０の内側面８０Ｂ、すなわち表側芯材８２，裏側芯材８４，木口架設芯材８６，木口架設芯材８８，溝形成芯材９０及び溝形成芯材９２の内側面８０Ｂに貼着される。
表端面基板７４は、表側芯材８２の表面側面、すなわち木口架設芯材８６，木口架設芯材８８，溝形成芯材９０及び溝形成芯材９２と接合した面とは反対側の面に貼着される。
裏端面基板７６は、裏側芯材８４の裏面側面、すなわち木口架設芯材８６，木口架設芯材８８，溝形成芯材９０及び溝形成芯材９２と接合した面とは反対側の面に貼着される。
【００２４】
表面材５０は、化粧シート５４を折り曲げ溝６０において折り曲げて、基板５２の一方の長手端縁５６と他方の長手端縁５８とを突き合わされている。
すなわち、第３の折り曲げ溝６６と一方の長手端縁５６の間の内側面基板７２が、芯材８０の内側面８０Ｂに貼着され、且つ、第４の折り曲げ溝６８と他方の長手端縁５８との間の内側面基板７２が、芯材８０の内側面８０Ｂに貼着されて、一方の長手端縁５６と他方の長手端縁５８とは、裏側芯材８４の内側面８０Ｂ上において突き合わされる。
【００２５】
（板状体）
板状体３０は、外側面基板７０と折り曲げ溝６０を介して隣接する表端面基板７４及び裏端面基板７６とが突き合わせられ、内側面基板７２と折り曲げ溝６０を介して隣接する表端面基板７４及び裏端面基板７６とが突き合わせられている。
該突き合わせ部位である折り曲げ溝６０部位における化粧シート５４の折り目が外側に出る山折りによって、角部３２，角部３４，角部３６及び角部３８を形成されている。
隣接する外側面基板７０と表端面基板７４及び裏端面基板７６とが直角に交わり、隣接する内側面基板７２と表端面基板７４及び裏端面基板７６とが直角に交わり、外側面基板７０の外表面と内側面基板７２の外表面とが平行な面であって、一方の表端面基板７４の外表面と他方の裏端面基板７６の外表面とが平行である、直方体状であり、内側の基板５２の外側の面一面に化粧シート５４が貼着されて化粧シート５４によって覆われている。
【００２６】
該板状体３０は、前記折り曲げ溝６０内に対応する溝及び厚みを備える、断面略々ロ字形の略長方体であって、折り曲げ溝６０に沿ってのびる長尺である。
前記板状体３０は、第１の折り曲げ溝６２と第２の折り曲げ溝６４との間の基板５２が第３の折り曲げ溝６６と第４の折り曲げ溝６８との間の基板５２と向き合い、且つ、第２の折り曲げ溝６４と第３の折り曲げ溝６６との間の基板５２が第３の折り曲げ溝６６と第４の折り曲げ溝６８との間の基板５２と向き合い、基板５２の長手端縁と直交する表面材木口９６によって接地面２６を形成され、表面材木口９８によって接地面２８を形成されている。
【００２７】
外側面基板７０は、その一方の脚部分（第１の折り曲げ溝６２の溝壁）において、表端面基板７４のその一方の脚部分（第１の折り曲げ溝６２の溝壁）と接合され、外側面基板７０と表端面基板７４とは直交する。
外側面基板７０は、その他方の脚部分（第２の折り曲げ溝６４の溝壁）において、裏端面基板７６のその一方の脚部分（第２の折り曲げ溝６４の溝壁）と接合され、外側面基板７０と裏端面基板７６とは直交する。
一方の内側面基板７２は、その一方の脚部分（第３の折り曲げ溝６６の溝壁）において、表端面基板７４のその他方の脚部分（第３の折り曲げ溝６６の溝壁）と接合され、一方の内側面基板７２と表端面基板７４とは直交する。
他方の内側面基板７２は、その他方の脚部分（第４の折り曲げ溝６８の溝壁）において、裏端面基板７６のその他方の脚部分（第３の折り曲げ溝６６の溝壁）と接合され、他方の内側面基板７２と裏端面基板７６とは直交する。
【００２８】
前記板状体３０は、基板５２の長手端縁（一方の長手端縁５６及び他方の長手端縁５８）に直交し且つ木口（表面材木口９６及び表面材木口９８）に平行な隅部形成溝４０を形成されている。
前記隅部形成溝４０は、一方の第１の木口４６と適宜な間隔をあけて形成された第１の隅部形成溝４２と他方の第２の木口４８と適宜な間隔をあけて形成された第２の隅部形成溝４４とを有している。一方の第１の木口４６と第１の隅部形成溝４２との間の間隔は、他方の第２の木口４８と第２の隅部形成溝４４との間の間隔と同一であって、一方の第１の木口４６によって形成された接地面２６と他方の第２の木口４８によって形成された接地面２８とは、第１の隅部形成溝４２と第２の隅部形成溝４４との間に形成された天部１２の主面と平行な面を備える。
一方の側部１４は、一方の第１の木口４６側と他方の側部１６の他方の第２の木口４８側との間を開曠している。
【００２９】
板状体３０は、第１の隅部形成溝４２と第２の隅部形成溝４４とによって区画されてなる、天部領域１００と一方の側部領域１０２と他方の側部領域１０４とを備える。
天部領域１００は、第１の隅部形成溝４２と第２の隅部形成溝４４との間に形成されている。
一方の側部領域１０２は、第１の隅部形成溝４２と第１の木口４６との間に形成されている。
他方の側部領域１０４は、第２の隅部形成溝４４と第２の木口４８との間に形成されている。
【００３０】
板状体３０は、天部領域１００の外側面１１２と、天部領域１００の内側面１１４と、天部領域１００の表側端面１１６と、天部領域１００の裏側端面１１８とを備える。
板状体３０は、一方の側部領域１０２の外側面１２２と、一方の側部領域１０２の内側面１２４と、一方の側部領域１０２の表側端面１２６と、一方の側部領域１０２の裏側端面１２８とを備える。
板状体３０は、他方の側部領域１０４の外側面１３２と、他方の側部領域１０４の内側面１３４と、他方の側部領域１０４の表側端面１３６と、他方の側部領域１０４の裏側端面１３８とを備える。
【００３１】
天部領域１００の外側面１１２は、平面状であって表側端面１１６及び裏側端面１１８と直交する。
天部領域１００の内側面１１４は、平面状であって表側端面１１６及び裏側端面１１８と直交する。
天部領域１００の外側面１１２は、天部領域１００の内側面１１４と平行であって、表側端面１１６は、裏側端面１１８と平行である。
【００３２】
一方の側部領域１０２の外側面１２２は、平面状であって表側端面１２６及び裏側端面１２８と直交する。
一方の側部領域１０２の内側面１２４は、平面状であって表側端面１２６及び裏側端面１２８と直交する。
一方の側部領域１０２の外側面１２２は、側部領域１０２の内側面１２４と平行であって、表側端面１２６は、裏側端面１２８と平行である。
【００３３】
他方の側部領域１０４の外側面１３２は、平面状であって表側端面１３６及び裏側端面１３８と直交する。
他方の側部領域１０４の内側面１３４は、平面状であって表側端面１３６及び裏側端面１３８と直交する。
他方の側部領域１０４の外側面１３２は、側部領域１０４の内側面１３４と平行であって、表側端面１３６は、裏側端面１３８と平行である。
【００３４】
天部１２は、天部領域１００によって形成され、天部領域１００の外側面１１２によって形成された平面状の外側面と、天部領域１００の内側面１１４によって形成された平面状の内側面とを備える。
一方の側部１４は、側部領域１０２によって形成され、側部領域１０２の外側面１２２によって形成された平面状の外側面と、側部領域１０２の内側面１２４によって形成された平面状の内側面とを備える。
他方の側部１６は、側部領域１０４によって形成され、側部領域１０４の外側面１３２によって形成された平面状の外側面と、側部領域１０４の内側面１３４によって形成された平面状の内側面とを備える。
【００３５】
隅部形成溝４０は、前記表面材５０の一方の長手端縁５６と表面材５０の他方の長手端縁５８とを突き合わされた側の面から反対側の面に向けて、収納ボックスユニット１０の隅部１８及び隅部２０を形成するために成形され、隅部形成溝４０を閉じるように化粧シート５４を折り曲げて、隅部形成溝４０を閉じ合わせて接着されている。
【００３６】
隅部形成溝４０は、基板５２に形成された断面Ｖ字形の溝であって、略平面状の溝壁間のなす角度が９０度であって、溝底が化粧シート５４に略々達し、化粧シート５４が折り曲げられて、基板５２に形成された略平面状の溝壁面が密着するように形成されている。
【００３７】
隅部形成溝４０は、第３の折り曲げ溝６６及び第４の折り曲げ溝６８から第１の折り曲げ溝６２及び第２の折り曲げ溝６４に達する深さを備え、第３の折り曲げ溝６６から第４の折り曲げ溝６８に亘って連続して形成され、第１の折り曲げ溝６２及び第２の折り曲げ溝６４と第３の折り曲げ溝６６及び第４の折り曲げ溝６８と直交している。
【００３８】
第３の折り曲げ溝６６と第４の折り曲げ溝６８との間の化粧シート５４は、収納ボックスユニット１０の内側面を形成し、第１の折り曲げ溝６２と第２の折り曲げ溝６４との間の化粧シート５４は、収納ボックスユニット１０の外側面を形成している。
【００３９】
収納ボックスユニット１０は、図１３に示すように、裏面側における開口部に、背面板１５０を付設されている。
板状体３０は、表面材５０における基板５２の一方の長手端縁５６と他方の長手端縁５８との突き合わせ部位において、背面板嵌合溝１５２を形成されている。
板状体３０は、天部領域１００並びに一方の側部領域１０２及び他方の側部領域１０４の内側面において、長手方向に一方の木口（第１の木口４６）から他方の木口（第２の木口４８）に亘って、直線状の背面板嵌合溝１５２を穿設されている。
背面板嵌合溝１５２は、板状体３０の長手端縁と平行である。
【００４０】
天部１２並びに側部１４及び側部１６は、芯材８０の表面に表面材５０が貼着されている。側部１４及び側部１６は、接地面２６及び接地面２８には表面材５０を貼着されてない。
【００４１】
芯材８０（表側芯材８２，裏側芯材８４，木口架設芯材８６，木口架設芯材８８，溝形成芯材９０及び溝形成芯材９２）の外側面８０Ａに、表面材５０の外側面基板７０が貼着されている。
芯材８０（表側芯材８２，裏側芯材８４，木口架設芯材８６，木口架設芯材８８，溝形成芯材９０及び溝形成芯材９２）の内側面８０Ｂに、表面材５０の内側面基板７２が貼着されている。
芯材８０（表側芯材８２）の外側面８０Ａに、表面材５０の外側面基板７０が貼着され、芯材８０（表側芯材８２）の内側面８０Ｂに、表面材５０の内側面基板７２が貼着されている。
芯材８０（裏側芯材８４）の表端面８０Ｃに、表面材５０の表端面基板７４が貼着され、芯材８０（裏側芯材８４）の裏端面８０Ｄに、表面材５０の裏端面基板７６が貼着されている。
【００４２】
外側面基板７０と表端面基板７４とは、芯材８０（表側芯材８２）の外表側芯材角部８２ｂにおいて、突き合わせて接合されている。
内側面基板７２と表端面基板７４とは、芯材８０（表側芯材８２）の内表側芯材角部８２ａにおいて、突き合わせて接合されている。
外側面基板７０と裏端面基板７６とは、芯材８０（裏側芯材８４）の外裏側芯材角部８４ｂにおいて、突き合わせて接合されている。
内側面基板７２と裏端面基板７６とは、芯材８０（裏側芯材８４）の内裏側芯材角部８４ａにおいて、突き合わせて接合されている。
【００４３】
表側芯材８２の内表側芯材角部８２ａは、直角であり、表側芯材８２の外表側芯材角部８２ｂは、直角である。
裏側芯材８４の内裏側芯材角部８４ａは、直角であり、裏側芯材８４の外裏側芯材角部８４ｂは、直角である。
芯材８０は、外側面８０Ａと内側面８０Ｂとは平行であり、芯材８０は、表端面８０Ｃと裏端面８０Ｄとは平行である。
芯材８０は、外側面８０Ａと表端面８０Ｃとは直交する。
芯材８０は、内側面８０Ｂと表端面８０Ｃとは直交する。
芯材８０は、外側面８０Ａと裏端面８０Ｄとは直交する。
芯材８０は、内側面８０Ｂと裏端面８０Ｄとは直交する。
【００４４】
芯材８０の外側面８０Ａに貼着された表面材５０の外側面基板７０及び化粧シート５４と芯材８０の内側面８０Ｂに貼着された表面材５０の内側面基板７２及び化粧シート５４とは、平行である。
芯材８０の表端面８０Ｃに貼着された表面材５０の表端面基板７４及び化粧シート５４と芯材８０の裏端面８０Ｄに貼着された表面材５０の裏端面基板７６及び化粧シート５４とは、平行である。
芯材８０の外側面８０Ａに貼着された表面材５０の外側面基板７０及び化粧シート５４と芯材８０の表端面８０Ｃに貼着された表面材５０の表端面基板７４及び化粧シート５４とは、直交する。
芯材８０の内側面８０Ｂに貼着された表面材５０の内側面基板７２及び化粧シート５４と芯材８０の裏端面８０Ｄに貼着された表面材５０の裏端面基板７６及び化粧シート５４とは、直交する。
【００４５】
芯材８０の表面に表面材５０が貼着された天部１２は、その一方端に、芯材８０の表面に表面材５０が貼着された側部１４が突き合わせられ、且つ、その他方端に、側部１６が突き合わせられている。
天部１２は、正面視断面略台形状であり、側部１４及び側部１６は、正面視断面略台形状である。
天部１２は、突き合わせられた側部１４及び側部１６と直交している。
側部１４と側部１６とは、平行である。
【００４６】
天部１２の表側芯材８２及び溝形成芯材９０と側部１４の表側芯材８２及び溝形成芯材９０とは、天部１２と側部１４の境界である隅部１８において突き合わせられて、直交する。
天部１２の表側芯材８２及び溝形成芯材９２と側部１６の表側芯材８２及び溝形成芯材９２とは、天部１２と側部１６の境界である隅部２０において突き合わせられて、直交する。
天部１２の内側面基板７２及び化粧シート５４と側部１４の内側面基板７２及び化粧シート５４とは、天部１２と側部１４の境界である隅部１８において突き合わせられて、直交する。
天部１２の内側面基板７２及び化粧シート５４と側部１６の内側面基板７２及び化粧シート５４とは、天部１２と側部１６の境界である隅部２０において突き合わせられて、直交する。
天部１２の外側面基板７０と側部１４の外側面基板７０とは、天部１２と側部１４の境界である隅部１８において突き合わせられて、直交する。
天部１２の外側面基板７０と側部１６の外側面基板７０とは、天部１２と側部１６の境界である隅部２０において突き合わせられて、直交する。
外側面の化粧シート５４は、隅部１８及び隅部２０に折り曲げられて、天部１２の外側面の化粧シート５４と側部１４及び側部１６の外側面の化粧シート５４とは、直交する。
【００４７】
天部１２の表端面基板７４及び化粧シート５４と側部１４の表端面基板７４及び化粧シート５４とは、隅部１８において突き合わせられて、直交する。
天部１２の表端面基板７４及び化粧シート５４と側部１６の表端面基板７４及び化粧シート５４とは、隅部２０において突き合わせられて、直交する。
天部１２の裏端面基板７６及び化粧シート５４と側部１４の裏端面基板７６及び化粧シート５４とは、隅部１８において突き合わせられて、直交する。
天部１２の裏端面基板７６及び化粧シート５４と側部１６の裏端面基板７６及び化粧シート５４とは、隅部２０において突き合わせられて、直交する。
天部１２は、側部１４の接地面２６及び側部１６の接地面２８と平行である。
側部１４の接地面２６は、表面材５０が貼着されていない。
すなわち、表側芯材８２及び裏側芯材８４の天部１２側とは反対側の表面、すなわち、木口は、表面材５０が貼着されていない。側部１４の木口架設芯材８６の接地面２６側の表面及び側部１６の木口架設芯材８８の接地面２８側の表面は、表面材５０が貼着されていない。
【００４８】
隅部１８において天部１２と側部１４とが突き合わされる領域における天部１２及び側部１４の稜角（第１の隅部形成溝４２によって形成された）の角度は、それぞれ４５度である。
すなわち、隅部１８における天部１２の側部１４との突き合わせ部分の稜線すなわち天部１２の上面と側部１４との突き合わせ面とのなす角度は、４５度である。
また、隅部２０において天部１２と側部１６とが突き合わされる領域における天部１２及び側部１６の稜角（第２の隅部形成溝４４によって形成された）の角度は、それぞれ４５度である。
すなわち、隅部２０における天部１２の側部１６との突き合わせ部分の稜線すなわち天部１２の上面と側部１６との突き合わせ面とのなす角度は、４５度である。
【００４９】
この発明に係る収納ボックスユニット１０は、適宜その構造を変形してもよい。
例えば、図１４ないし図１７に示すように、天部１２，側部１４及び側部１６の長さを変更して、収納ボックスユニット１０の内側に、小さい収納ボックスユニット１０を収容して、大きな収納ボックスユニット１０の中に小さな棚を形成するようにしてもよい。
【００５０】
収納ボックスユニット１０は、図２０及び図２１に示すように、複数の収納ボックスユニット１０を積み重ねたり、並列して用いられる。
【００５１】
収納ボックスユニット１０は、図１８及び図１９に示すように、天部１２の長さを伸ばして、収納ボックスユニット１０を載置する台を形成し、その台の上に複数の収納ボックスユニット１０を並列して載置できるように形成してもよい。
【００５２】
収納ボックスユニット１０は、図２２及び図２３に示すように、表面側における開口部に、扉１８０を付設してもよい。
扉１８０は、一方の側部１４の内側に蝶番等の取付具１８２によって、開閉自在に取り付けられる。
又、他方の側部の内側に、扉１８０を留める留め具を取り付けられる。
【００５３】
収納ボックスユニット１０は、図２６に示すように、中央に、背面板１５０を付設されてもよい。
背面板１５０は、収納ボックスユニット１０の手前側と向こう側との間、例えば、手前側端と向こう側端との中央に設けてもよい。そのときは、間仕切り棚として用いると、手前側の開口部からと向こう側の開口部からとの両方から物を入れることができる。
【００５４】
一方の側部１４と他方の側部１６とは、同一の高さに形成されているが、その接地面２６及び接地面２８は、側部１４及び側部１６の外表面及び内表面と略直交する平面で構成されており、収納ボックスユニット１０を載置する平面に密に接合される。
必要に応じ、側部１４及び側部１６の接地面２６及び接地面２８には、ゴム等からなる滑り止め片を嵌め込み、載置する平面に密着するようにしてもよい。
又、側部１４及び側部１６の接地面２６及び接地面２８に、図２０において示すように、位置決め穴１６０を穿設し、他方、位置決め穴１６０を穿設された収納ボックスユニット１０を載置される別の収納ボックスユニット１０の載置される面、例えば、天部１２の上面に前記位置決め穴１６０と適合する位置決め穴１６２を形成してもよい。
そして、上側に載置された収納ボックスユニット１０の接地面２６及び接地面２８の位置決め穴１６０と下側に設置された収納ボックスユニット１０の天部１２の位置決め穴１６２とに跨って、位置決めダボ１６４を嵌挿し、上側の収納ボックスユニット１０と下側の収納ボックスユニット１０とを連結する。
位置決めダボ１６４で連結された上側の収納ボックスユニット１０と下側の収納ボックスユニット１０とは、ずれることなく、所定位置で設置される。
【００５５】
板状体３０の角部３２，角部３４，角部３６及び角部３８は、図２７において示すように、次のように構成してもよい。
【００５６】
板状体３０の角部３２，角部３４，角部３６及び角部３８は、面取りした構造としてもよい。
面取りした角部とするための方法としては、例えば、第１の折り曲げ溝６２を形成して角部３４を形成するための基板５２の表面に続く断面直角２等辺３角形状の面取り部６２ａを形成し、面取り部６２ａの一番広い側面すなわち基板５２の化粧シート５４を貼着された面と連続する面には、化粧シート５４が接着されている。また、板状体３０の角部３４を構成する面取り部６２ａの他の２つの側面６２ｂ及び側面６２ｃは、第１の折り曲げ溝６２によって形成された基板５２の側面５２ｂ及び側面５２ｃと同じ大きさに形成され、１つの側面６２ｂが基板５２の側面５２ｂに接着剤で接着され且つ他の側面６２ｃが基板５２の側面５２ｃに接着剤で接着される。
それによって、化粧シート５４は、基板５２と面取り部６２ａとの間で４５度折り曲げられた面取りした形状に成形されて、角部３４を形成される。
その他の角部３２，角部３６及び角部３８も、同様な面取りした形状となっている。
板状体３０の角部３２，角部３４，角部３６及び角部３８がいわゆる面取りされた形状の収納ボックスユニット１０は、収納ボックスユニット１０の手前側の開口部と向こう側の開口部との両方の縁が面取りされた形状である。
板状体３０の角部３２，角部３４，角部３６及び角部３８がいわゆる面取りされた形状の収納ボックスユニット１０は、例えば、前記収納ボックスユニット１０の中央に背面板１５０を付設し、手前側の開口部と向こう側の開口部の両側から物品を収納できる間仕切り棚に適する。
【００５７】
収納ボックスユニット１０は、図２８〜図３２に示すように、開口部にのみ、面取りした角部３２を形成してもよい。
例えば、開口部に位置する角部３２を構成する折り曲げ溝を、並列する２条の第３の折り曲げ溝（第３の折り曲げ溝６６Ａと第３の折り曲げ溝６６Ｂ）によって形成する（図３０参照）。
第３の折り曲げ溝６６Ａと第３の折り曲げ溝６６Ｂとの間の基板５２は、断面略台形状の面取り部６６Ｃを形成して、面取りした形状の木口架設芯材８８に添着されて、面取りした形状を呈する。
板状体３０は、第１の隅部形成溝４２及び第２の隅部形成溝４４を並列して開設され、天部領域１００，側部領域１０２及び側部領域１０４を形成する（図３１参照）。
そして、板状体３０は、該第１の隅部形成溝４２及び第２の隅部形成溝４４を閉着して、天部領域１００によって天部１２を形成し、側部領域１０２及び側部領域１０４によって側部１４及び側部１６を形成する（図３２参照）。
而して、天部１２，側部１４及び側部１６の開口部の内側の角部を面取りした形状とした、収納ボックスユニット１０を形成される。
【産業上の利用可能性】
【００５８】
本発明にかかる収納ボックスユニットは、単独で使用するほか、図２４及び図２５に示すように、種々組み合わせて、テレビ等の電気機械器具、被服、日用品等の収納箱、収納棚及び空間を仕切る仕切り棚として、用いることができる。
【符号の説明】
【００５９】
１０  収納ボックスユニット
１２  天部
１４，１６  側部
１８，２０  隅部
２６，２８  接地面
３０  板状体
３２，３４，３６，３８  （板状体の）角部
４０  隅部形成溝
４２  第１の隅部形成溝
４４  第２の隅部形成溝
４６  第１の木口
４８  第２の木口
５０  表面材
５２  基板
５４  化粧シート
５６  一方の長手端縁
５８  他方の長手端縁
６０  折り曲げ溝
６２  第１の折り曲げ溝
６２ａ，６６Ｃ  面取り部
５２ｂ，５２ｃ，６２ｂ，６２ｃ  側面
６４  第２の折り曲げ溝
６６，６６Ａ，６６Ｂ  第３の折り曲げ溝
６８  第４の折り曲げ溝
７０  外側面基板
７２  内側面基板
７４  表端面基板
７６  裏端面基板
８０  芯材
８０Ａ  （芯材の）外側面
８０Ｂ  （芯材の）内側面
８０Ｃ  （芯材の）表端面
８０Ｄ  （芯材の）裏端面
８２  表側芯材
８２ａ  内表側芯材角部
８２ｂ  外表側芯材角部
８４  裏側芯材
８４ａ  内裏側芯材角部
８４ｂ  外裏側芯材角部
８６，８８  木口架設芯材
９０，９２溝形成芯材
９６，９８  表面材木口
１００  天部領域
１０２，１０４  側部領域
１１２  （天部領域の）外側面
１１４  （天部領域の）内側面
１１６  （天部領域の）表側端面
１１８  （天部領域の）裏側端面
１２２，１３２  （側部領域の）外側面
１２４，１３４  （側部領域の）内側面
１２６，１３６  （側部領域の）表側端面
１２８，１３８  （側部領域の）裏側端面
１５０  背面板
１５２  背面板嵌合溝
１６０，１６２  位置決め穴
１６４  位置決めダボ
１８０  扉
１８２  取付具
【図１】
2015181803.tif 000003
【図２】
2015181803.tif 000004
【図３】
2015181803.tif 000005
【図４】
2015181803.tif 000006
【図５】
2015181803.tif 000007
【図６】
2015181803.tif 000008
【図７Ａ】
2015181803.tif 000009
【図７Ｂ】
2015181803.tif 000010
【図８】
2015181803.tif 000011
【図９】
2015181803.tif 000012
【図１０】
2015181803.tif 000013
【図１１】
2015181803.tif 000014
【図１２】
2015181803.tif 000015
【図１３】
2015181803.tif 000016
【図１４】
2015181803.tif 000017
【図１５】
2015181803.tif 000018
【図１６】
2015181803.tif 000019
【図１７】
2015181803.tif 000020
【図１８】
2015181803.tif 000021
【図１９】
2015181803.tif 000022
【図２０】
2015181803.tif 000023
【図２１】
2015181803.tif 000024
【図２２】
2015181803.tif 000025
【図２３】
2015181803.tif 000026
【図２４】
2015181803.tif 000027
【図２５】
2015181803.tif 000028
【図２６Ａ】
2015181803.tif 000029
【図２６Ｂ】
2015181803.tif 000030
【図２７】
2015181803.tif 000031
【図２８】
2015181803.tif 000032
【図２９】
2015181803.tif 000033
【図３０】
2015181803.tif 000034
【図３１】
2015181803.tif 000035
【図３２】
2015181803.tif 000036